(57)【要約】【課題】横引きロール網戸におけるネットの開閉操作中にはネットにたるみがあっても、可動框がネットの展張位置まで移動したときには該たるみを無くすことを可能にする。【解決手段】巻取りボックス２内の巻取軸７に一端を取り付けたネット６を可動框９の横引きにより張設可能にした横引きロール網戸において、ネットの上端に沿って取り付けた係合子１２ａを上枠４内の上部インナーレール１３ａに係合させ、該上部インナーレールは上枠に対して支持アーム２１により水平を維持した状態で昇降可能に支持され、可動框９の上部には、該可動框がネットの展張位置まで移動したときに、支持アームの下部の操作部２１ｃに当接して、上部インナーレールをネットにたるみが無くなるように上動させる押圧部９ａを備える。ネットの下端は、網戸枠の下枠５に固定的又は昇降可能なガイドによりその横引きがガイドされる。【選択図】図１
2019094717.tif 000002
【特許請求の範囲】
【請求項１】
網戸枠の側枠を構成する巻取りボックス内に、該網戸枠内に張設するネットの巻取軸を回転自在に保持させて、該巻取軸に一端を取り付けたネットを巻取り可能とし、該ネットの導出端に取り付けた可動框の横引きによって、該ネットを網戸枠内に張設可能にした横引きロール網戸において、
上記ネットは、その上端に沿って係合子が取り付けられ、該係合子を上記網戸枠の上枠内に配設した上部インナーレールに係合させることにより、該上枠に沿って上記ネットを横引きで開閉可能とし、
上記上部インナーレールは、上記上枠に対して、該上部インナーレールを支持する複数の支持アームを備えたリンク機構を介して、水平を維持した状態で、且つ該上部インナーレールのネット展張方向への押圧によって上動させ得るものとして支持させ、
上記可動框の上部には、該可動框が上記巻取りボックスに対向している受け枠にまで達するネットの展張位置に移動したときに、上記リンク機構の一部に形成した操作部を受け枠側に押圧して、上記ネットのたるみを無くすように上部インナーレールを上動させる押圧部を備え、
一方、該ネットの下端は、網戸枠の下枠に固定的又は昇降可能なガイドによりその横引きがガイドされ、上記ネットの展張位置において上部インナーレールが上動したときには、該ガイドによりネットの下端が保持されて、ネット又はそれに付加されるガイドの自重により、上下方向のたるみを無くす位置に保持されるものとしている、
ことを特徴とする横引きロール網戸。
【請求項２】
上記上枠に上部インナーレールを支持させるリンク機構が、該上部インナーレールと該上枠との間に、少なくとも上部インナーレールの長手方向の両端部を含む複数箇所において、一定長の支持アームの両端をそれぞれ回転可能に連結することにより構成され、
上記ネットの展張位置にある可動框の上方に位置するところの支持アームの下端に上記操作部を付設し、該操作部に対向してそれを受け枠側に押圧する押圧部を上記可動框の上部に形成している、
ことを特徴とする請求項１に記載の横引きロール網戸。
【請求項３】
上記上枠に上部インナーレールを支持させるリンク機構が、該上部インナーレールの側面に沿ってその長手方向に摺動自在に係合する係合軸部を一端に設け、他端が上記上枠に回転自在に連結される一定長の支持アームの複数を備え、少なくとも上部インナーレールの長手方向の両端部を含む複数箇所に位置させた該支持アームを、上記係合軸部において単一の連結杆により連結することにより構成され、
上記ネットの展張位置にある可動框の上方に位置するところの支持アームの下端に上記操作部を付設し、該操作部に対向してそれを受け枠側に押圧する押圧部を上記可動框の上部に形成している、
ことを特徴とする請求項１に記載の横引きロール網戸。
【請求項４】
上記上部インナーレールを、上枠の長手方向におけるネットの展張可能な範囲にわたって設けている、
ことを特徴とする請求項３に記載の横引きロール網戸。
【請求項５】
上記ネットの下端に沿って係合子を取り付け、該係合子を網戸枠の下枠に固定的又は昇降可能に配設した上記ガイドとしての下部インナーレールに係合させることにより、該ネットの下枠に沿う横引きをガイドさせている、
ことを特徴とする請求項１〜４のいずれかに記載の横引きロール網戸。
【請求項６】
上記下部インナーレールを、支持アームにより水平を維持した状態で昇降可能に下枠に支持させ、
上記可動框の下部に、該可動框がネットの完全な展張位置まで移動したときに、上記下枠内の支持アーム又は下部インナーレールの一部に当接して、該下部インナーレールをネットのたるみを無くすように下動させる操作部を備えている、
ことを特徴とする請求項５に記載の横引きロール網戸。
【請求項７】
網戸枠の構成を上下対称とすることにより、ネットの張設面の向きを変えることなく上下反転して設置することにより、巻取りボックスを網戸枠の左右のいずれの側にも配設可能に形成した、
ことを特徴とする請求項１〜６のいずれかに記載の横引きロール網戸。
【請求項８】
網戸枠の左右の側枠を構成するそれぞれの巻取りボックス内に、該網戸枠内に張設するネットの巻取軸を回転自在に保持させて、各巻取軸に一端を取り付けたネットを巻取り可能とし、該ネットの導出端に取り付けた可動框の横引きによって、該ネットを網戸枠内に両引きで張設可能にした横引きロール網戸において、
上記両ネットは、その上端に沿って係合子が取り付けられ、該係合子を、上記網戸枠の上枠内における各ネットの展張領域に配設した各上部インナーレールに係合させることにより、それぞれの上枠に沿って上記ネットを横引きで開閉可能とし、
上記各上部インナーレールは、上記上枠における各ネットの展張領域において、該上部インナーレールを支持する複数の支持アームを備えたリンク機構を介して、水平を維持した状態で、且つ該上部インナーレールのネット展張方向への押圧によって上動させ得るものとして支持させ、
上記両可動框の上部には、両可動框がそれらの召し合わせ位置まで移動したときに、上記リンク機構の一部に形成した操作部を上記召し合わせ位置側に押圧して、上記ネットのたるみを無くすように上部インナーレールを上動させる押圧部を備え、
一方、該ネットの下端は、網戸枠の下枠に固定的又は昇降可能なガイドによりその横引きがガイドされ、上記ネットの展張位置において上部インナーレールが上動したときには、該ガイドによりネットの下端が保持されて、ネット又はそれに付加されるガイドの自重により、上下方向のたるみを無くす位置に保持されるものとしている、
ことを特徴とする横引きロール網戸。
【発明の詳細な説明】
【技術分野】
【０００１】
本発明は、ネットの上下端、或いは少なくともネットの上端に取り付けた係合子を、網戸枠内の上下部インナーレールに保持させて、該ネットの開閉を行う形式の横引きロール網戸に関するものである。
【背景技術】
【０００２】
横引きロール網戸において、ネットの上下端に取り付けたファスナー状の係合子を、上下の網戸枠内に設けた上下部インナーレールに係合保持させて摺動可能にする場合に、ネットの開閉操作をスムーズにするためには、上下部インナーレール間の寸法に対してネットの上下端の係合子間の間隔に若干の余裕を与えるように該ネットが製造される。しかしながら、このようなネットの上下端に係合子を取り付ける場合には、ネットの裁断の公差や該ネットの上下端への係合子の取付位置の公差等により、必ずしもネットの出来上がり寸法が該ネットのスムーズな開閉に適したものにならず、或いは、展張したネットに見苦しいたるみが生じることもあり、これらの場合には顧客からその改善を要求されることになる。
【０００３】
そのため、ネットの上下端に上記係合子を取り付ける場合に、上記ネットの上下端の係合子間の間隔が、上下部インナーレール間の寸法に対して短すぎた場合や、長すぎた場合は論外であるが、網戸において用いられるネットは、それ自体に若干の伸縮性があると共に、該ネットの上下方向の長さが比較的長いことから、網戸枠へのネットの展張状態における該ネットの伸長の程度が許容の範囲内にあるように、該ネットに対して或る程度の伸長力を上下方向に付与し、しかし、ネットの開閉操作時にはそのような伸長力が付与されないようにして操作性を高めれば、展張状態にあるネットのたるみを除去すると共に、ネットの開閉時にはその開閉操作を容易にすることができる。
【０００４】
そして、上述したネットの展張状態で上部インナーレールを上動させる構成を採用すれば、前記ネットの製造時における上下部インナーレール間の寸法の正確さの改善に代える効果的な手段とすることができ、また、このような手段によって上記ネットの出来上がり寸法の誤差の許容を行えば、ネットの展張状態において該ネットの下端に下部インナーレール等の重力を付与するだけで、ネットのたるみを除去することを可能にすることができる。
【発明の概要】
【発明が解決しようとする課題】
【０００５】
本発明の技術的課題は、上記横引きロール網戸におけるネットの開閉操作中には、上述のたるみが特に可動框の動きの障害になることはなく、むしろ、ネットのスムーズな動きに役立ち、しかしながら、ネットの完全な展張時には上記たるみが目立って不具合と判断される可能性があることから、可動框がネットの展張位置まで移動したときには、上下部インナーレールが上記たるみを無くす位置まで上下方向へ移動するようにし、それによって上記たるみ等の問題を解消できるようにした横引きロール網戸を提供することにある。
【課題を解決するための手段】
【０００６】
上記課題を解決するため、本発明によれば、網戸枠の側枠を構成する巻取りボックス内に、該網戸枠内に張設するネットの巻取軸を回転自在に保持させて、該巻取軸に一端を取り付けたネットを巻取り可能とし、該ネットの導出端に取り付けた可動框の横引きによって、該ネットを網戸枠内に張設可能にした横引きロール網戸において、上記ネットは、その上端に沿って係合子が取り付けられ、該係合子を上記網戸枠の上枠内に配設した上部インナーレールに係合させることにより、該上枠に沿って上記ネットを横引きで開閉可能とし、上記上部インナーレールは、上記上枠に対して、該上部インナーレールを支持する複数の支持アームを備えたリンク機構を介して、水平を維持した状態で、且つ該上部インナーレールのネット展張方向への押圧によって上動させ得るものとして支持させ、上記可動框の上部には、該可動框が上記巻取りボックスに対向している受け枠にまで達するネットの展張位置に移動したときに、上記リンク機構の一部に形成した操作部を受け枠側に押圧して、上記ネットのたるみを無くすように上部インナーレールを上動させる押圧部を備え、一方、該ネットの下端は、網戸枠の下枠に固定的又は昇降可能なガイドによりその横引きがガイドされ、上記ネットの展張位置において上部インナーレールが上動したときには、該ガイドによりネットの下端が保持されて、ネット又はそれに付加されるガイドの自重により、上下方向のたるみを無くす位置に保持されるものとしていることを特徴とする横引きロール網戸が提供される。
【０００７】
本発明に係る横引きロール網戸の好ましい実施形態においては、上記上枠に上部インナーレールを支持させるリンク機構が、該上部インナーレールと該上枠との間に、少なくとも上部インナーレールの長手方向の両端部を含む複数箇所において、一定長の支持アームの両端をそれぞれ回転可能に連結することにより構成され、上記ネットの展張位置にある可動框の上方に位置するところの支持アームの下端に上記操作部を付設し、該操作部に対向してそれを受け枠側に押圧する押圧部を上記可動框の上部に形成している、第１のリンク機構として構成されることが望まれる。
【０００８】
また、本発明に係る横引きロール網戸の他の好ましい実施形態においては、上記上枠に上部インナーレールを支持させるリンク機構が、該上部インナーレールの側面に沿ってその長手方向に摺動自在に係合する係合軸部を一端に設け、他端が上記上枠に回転自在に連結される一定長の支持アームの複数を備え、少なくとも上部インナーレールの長手方向の両端部を含む複数箇所に位置させた該支持アームを、上記係合軸部において単一の連結杆により連結することにより構成され、上記ネットの展張位置にある可動框の上方に位置するところの支持アームの下端に上記操作部を付設し、該操作部に対向してそれを受け枠側に押圧する押圧部を上記可動框の上部に形成している、第２のリンク機構として構成されることが望まれる。
【０００９】
なお、上記第２のリンク機構を採用した実施形態においては、上部インナーレールを上枠に回転自在に連結している支持アームに対して直接的に連結せず、支持アームとの連結部が摺動自在であるため、該上部インナーレールは押圧部による操作部の押圧により横移動することなく上動するものであり、そのため、上部インナーレールは上枠の長手方向におけるネットの展張可能な範囲にわたって設けることができる。
【００１０】
更に、本発明に係る横引きロール網戸の他の好ましい実施形態においては、上記ネットの下端に沿って係合子を取り付け、該係合子を網戸枠の下枠に固定的又は昇降可能に配設した上記ガイドとしての下部インナーレールに係合させることにより、該ネットの下枠に沿う横引きをガイドさせるものとして構成することができる。
【００１１】
そして、この実施形態の場合には、上記下部インナーレールを、支持アームにより水平を維持した状態で昇降可能に支持させ、上記可動框の下部に、該可動框がネットの完全な展張位置まで移動したときに、上記下枠内の支持アーム又は下部インナーレールの一部に当接して、該下部インナーレールをネットのたるみを無くすように下動させる操作部を備えているものとして構成することができる。
【００１２】
また、本発明に係る上述した構成の横引きロール網戸は、巻取りボックスを網戸枠の左右いずれの側にも配設可能にして、吊り元を網戸枠の左右いずれの側にも設定可能にすると同時に、その変更をも行うことを可能にすることができるものであり、その場合には、網戸枠の構成を上下対称とすればよく、それにより、ネットの張設面の向きを変えることなく上下反転して設置することにより、巻取りボックスを網戸枠の左右のいずれの側にも配設することができる。
【００１３】
更に、前記課題を解決するため、本発明によれば、網戸枠の左右の側枠を構成するそれぞれの巻取りボックス内に、該網戸枠内に張設するネットの巻取軸を回転自在に保持させて、各巻取軸に一端を取り付けたネットを巻取り可能とし、該ネットの導出端に取り付けた可動框の横引きによって、該ネットを網戸枠内に両引きで張設可能にした横引きロール網戸において、上記両ネットは、その上端に沿って係合子が取り付けられ、該係合子を、上記網戸枠の上枠内における各ネットの展張領域に配設した各上部インナーレールに係合させることにより、それぞれの上枠に沿って上記ネットを横引きで開閉可能とし、上記各上部インナーレールは、上記上枠における各ネットの展張領域において、該上部インナーレールを支持する複数の支持アームを備えたリンク機構を介して、水平を維持した状態で、且つ該上部インナーレールのネット展張方向への押圧によって上動させ得るものとして支持させ、上記両可動框の上部には、両可動框がそれらの召し合わせ位置まで移動したときに、上記リンク機構の一部に形成した操作部を上記召し合わせ位置側に押圧して、上記ネットのたるみを無くすように上部インナーレールを上動させる押圧部を備え、一方、該ネットの下端は、網戸枠の下枠に固定的又は昇降可能なガイドによりその横引きがガイドされ、上記ネットの展張位置において上部インナーレールが上動したときには、該ガイドによりネットの下端が保持されて、ネット又はそれに付加されるガイドの自重により、上下方向のたるみを無くす位置に保持されるものとしていることを特徴とする両開きの横引きロール網戸が提供される。
【発明の効果】
【００１４】
以上に詳述したように、本発明に係る横引きロール網戸においては、網戸枠へのネットの展張状態における該ネットの伸長の程度が許容の範囲内にあるようにして、該ネットに対して或る程度の伸長力を上下方向に付与し、しかし、該ネットの開閉操作時にはそのような伸長力を付与しないようにし、しかも、その操作を可動框の動きを利用して簡単に行うようにしているので、網戸の製造段階において、ネットの上下端にファスナー状の係合子を取り付けるに際し、ネットの裁断や該ネットへの係合子の取付位置の公差により、ネットの出来上がり寸法に若干のばらつきが生じても、展張状態のネットのたるみを除去すると共に、ネットの開閉時の操作を容易にすることができる。
【図面の簡単な説明】
【００１５】
【図１】本発明に係る横引きロール網戸の第１実施例における可動框の開閉操作中の状態を、その網戸枠における上枠の要部を断面によって示した正面図である。
【図２】上記第１実施例における網戸枠を、図１に示す状態において左側から見た一部破断拡大側断面図である。
【図３】上記第１実施例における可動框がネットの展張位置に達したときの状態を、その上枠の要部を断面によって示す正面図である。
【図４】上記第１実施例における網戸枠の上部を、図３に示す状態において左側から見た拡大側断面図である。
【図５】上記第１実施例における網戸枠に上部インナーレールを支持させる第１のリンク機構、及び該上部インナーレールと可動框との関連構成を示す要部正面図である。
【図６】図５に示す可動框がネットの展張位置に達したときの、該可動框と上部インナーレール及びその支持アームとの関連構成を示す要部正面図である。
【図７】上記上部インナーレールと支持アームとの連結状態を示す一部を分解して示す斜視図である。
【図８】図７の上部インナーレールと支持アームとの連結状態を示す側面図である。
【図９】網戸枠に上部インナーレールを支持させる第２のリンク機構、及び該上部インナーレールと可動框との関連構成を示す要部正面図である。
【図１０】図９に示す可動框がネットの展張位置に達したときの、該可動框と上部インナーレール及びその支持アームとの関連構成を示す要部正面図である。
【図１１】図９の上部インナーレールと支持アームとの連結構造を分解して示す斜視図である。
【図１２】図１１の上部インナーレールと支持アームとの連結状態を示す側面図である。
【図１３】網戸枠に対するネットの吊り元を左右変更可能にした第２実施例の一部破断正面図である。
【図１４】図１３の第２実施例の横引きロール網戸を左側から見た拡大側断面図である。
【図１５】図１３の横引きロール網戸の水平断面図である。
【図１６】本発明に係る横引きロール網戸を両引きとした第３実施例の要部を断面によって示す正面図である。
【発明を実施するための形態】
【００１６】
本発明に係る横引きロール網戸は、建物開口部における遮光、目隠し、防虫等のための網戸として適用可能なもので、図１〜図４は、その横引きロール網戸の第１実施例の全体的構成を、ネット６に取り付けた可動框９の開閉操作中の状態（図１及び図２）、並びに該ネット６に取り付けた可動框９が該ネットの完全な展張位置に達したときの状態（図３及び図４）において、それぞれ一部を破断した正面図及び側断面図によって示している。
【００１７】
上記第１実施例の構成について詳細に説明すると、まず、上記横引きロール網戸における網戸枠１は、上記ネット６を収容する巻取りボックス２と、それに対向する位置にあってネット６が完全な展張状態にあるときに上記可動框９をマグネットや掛け鈎等のロック部材１０で掛け止める受け枠３と、それらの巻取りボックス２と受け枠３との上端間を連結するように配設される上枠４と、それらの下端間に配置される下枠５とによって構成されている。
【００１８】
網戸枠１の一対の側枠のうちの一方を構成する上記巻取りボックス２は、その内部にネット６の巻取軸７（図１、図１５参照）を回転自在に保持させ、該巻取軸７に内蔵したコイルスプリングの回転付勢力により該巻取軸自体を回転させて、該巻取軸７に一端を取り付けたネット６を巻取り可能とし、該ネットの開閉操作機構を構成するところの、該ネット６の導出端に取り付けている可動框９の横引き操作によって、該ネットを上記巻取りボックス２内から上記上枠４及び下枠５に沿って網戸枠１内に張設できるように構成している。なお、上記ネット６は、既存のものと同様に若干の伸縮性を有するものである。
【００１９】
上記ネット６は、その上下端に沿って、被服等に多用されているところのファスナー状の係合子１２ａ，１２ｂが取り付けられ、網戸枠１の上枠４及び下枠５内においては、図２に明瞭に示すように、該係合子１２ａ，１２ｂを該上枠及び下枠内に配設した上部インナーレール１３ａ及び下部インナーレール１３ｂに係合させることにより、該上枠及び下枠に沿って上記ネット６を横引きで開閉可能としている。該上部及び下部インナーレール１３ａ，１３ｂは、その長手方向に沿ってスリット１４ａ，１４ｂを備え、該スリットの内側縁に上記係合子１２ａ，１２ｂを係合させて、ネット６の上下端に取り付けた係合子を抜け止め状態でガイドするものである。
【００２０】
上記上部インナーレール１３ａは、以下に詳細に説明するように、上記上枠４に対し、該上部インナーレール１３ａを上下動可能に支持する複数の支持アームを備えたリンク機構を介して取り付けるものであるが、そのリンク機構としては、図５〜図８に詳細に示している第１のリンク機構２０、或いは、図９〜図１２に詳細に示している第２のリンク機構３０のいずれかを選択的に使用することが望まれる。しかしながら、上記第１及び第２のリンク機構に限定されるものではなく、上部インナーレールを水平に維持した状態で、ネット展張方向への該リンク機構の押圧により上部インナーレール１３ａを上動させ得るものとして支持するものであればよい。
【００２１】
なお、この第１実施例においては、上部インナーレール１３ａを上記リンク機構により上枠４に保持させているが、ネット６の下部に取り付けている下部インナーレール１３ｂは、図２から分かるように、下枠５内に若干の上下動を可能にした状態で収容し、下部インナーレール１３ｂ自体の重量を展張されているネット６に負荷した状態で、該ネット６の下端をガイドするように構成している。しかしながら、このネット６の下部は、網戸枠１の下枠５に固定的又は昇降可能なガイド（例えば、上記下部インナーレール１３ｂ）によりその横引きがガイドされ、上記ネットの展張位置において上部インナーレール１３ａが上動したときには、該ガイドによりネットの下端が保持されて、ネット６又はそれに付加されるガイドの自重により、上下方向のたるみを無くす位置に保持されることになる。
【００２２】
次に、図５〜図８に示しているところの、上記上枠４に上部インナーレール１３ａを支持させる第１のリンク機構２０について説明するに、この第１のリンク機構２０は、該上部インナーレール１３ａを、水平の姿勢を維持した状態で、且つ、後述する可動框９の上端の押圧部９ａによる該上部インナーレール１３ａの受け枠３側への押圧、つまり、ネットの展張方向への押圧によって、該上部インナーレール自体を上動させ得るものとして支持させている。
【００２３】
更に具体的には、上記第１のリンク機構２０は、上部インナーレール１３ａと上枠４との間に、少なくとも上部インナーレール１３ａの長手方向の両端部を含む複数箇所において、一定長の支持アーム２１の両端をそれぞれ回転可能に連結して、上部インナーレール１３ａを水平に吊下することにより構成されている。上記支持アーム２１自体は、図７に示すように、上部インナーレール１３ａの両側面側を支持する一対のレバー２１ａを、上枠４への回転自在の連結軸部２１ｂにおいて一体化したものとするのが望ましく、該連結軸部２１ｂの上枠への取り付けは、上枠及び連結軸部を貫通する支持ピン等を用いればよい。
【００２４】
更に、上記支持アーム２１の上部インナーレール１３ａに対する連結は、図示の実施例では、該上部インナーレールの両側面の凹溝１５ａ内に接着等で固定した基板１７ａに立設の支軸１６ａに、上記レバー２１ａの下端の孔を回転自在に外嵌させているが、かかる構成に限ることなく、任意手段で上部インナーレール１３ａの両側面に設けた支軸１６ａにに対し、上記レバー２１ａを回転自在に取り付けることができる。
なお、上記上部インナーレールの長手方向の両端部への支持アーム２１の取り付けは、図１に示す実施例では、上枠４と巻取りボックス２及び受け枠３との連結のためにそれらの連結部材間に嵌着しているコーナー部材４ａに対して該支持アームを回転自在に取り付け、一方、上枠４の中間部への該支持アーム２１の取り付けは、上枠４の天板に取り付けたブラケット４ｂを用いてそれに該支持アームを回転自在に取り付けているが、これらの支持アーム２１の取付態様はそれらに限るものではなく、適宜手段で上枠４等に取り付けることができる。
【００２５】
上述した第１のリンク機構２０は、それによって上枠４内に吊下した上部インナーレール１３ａを、可動框９が受け枠３に当接するところのネット６の展張位置まで移動したときに、該可動框９の移動操作自体によって上動させるためのものであり、そのため、上記第１のリンク機構２０の一部である上部インナーレール１３ａの受け枠３側の支持アーム２１の下端に形成した操作部２１ｃを、可動框９の上部に設けた押圧部９ａで受け枠３側に押圧して、上記支持アーム２１を上枠４への支持点において回転させ、図５中の矢印Ａで示すように、上部インナーレール１３ａが受け枠３側に移動すると同時に、水平を維持したまま上動し、結果的に、図６に示すような位置をとるように形成している。
【００２６】
上記第１のリンク機構２０に設ける操作部２１ｃは、該第１のリンク機構２０における支持アーム２１の下端等に設けられて、可動框９の上部に設けた押圧部９ａによるネット展張のための操作時の押圧で、第１のリンク機構２０が受け枠３側に押圧されるに適した位置に形成することができる。そして、可動框９の上部等に設けた押圧部９ａにより上記操作部２１ｃを受け枠３側に押圧すれば、上記ネット６のたるみを無くすように上部インナーレール１３ａを上動させることができる。
【００２７】
なお、上述したように、第１のリンク機構２０の操作部２１ｃを押圧するための可動框９の上部に設けた押圧部９ａが上記操作部２１ｃに当接した後に、該可動框における押圧部９ａの上面が、図６に示すように第１のリンク機構２０の操作部２１ｃを押し上げているときの上部インナーレール１３ａの上動位置が、ネット６の展張状態における上部インナーレール１３ａの保持位置であり、網戸枠１にネット６を組み付けてそのネットを展張状態にしたとき、つまり、可動框９を受け枠３に当接させたときに、ネットにたるみがあったり、過度の緊張状態にある場合には、上記可動框９における押圧部９ａの上面の高さを調整することにより、そのたるみがない適正な状況に調整することができる。
【００２８】
上記第１のリンク機構２０は、上部インナーレール１３ａが上枠４に対し複数箇所において支持アーム２１で回転可能に連結されていることから、可動框９の押圧部９ａが支持アームの下端の操作部２１ｃを押圧したとき、各支持アーム２１は上枠４に対する連結部を中心に回転して、各上部インナーレール１３ａとの連結部を円弧状の軌跡に沿って移動させるため、上部インナーレール１３ａの各部は上動すると同時に受け枠３側に横移動することになり、そのため、上枠４内には上部インナーレール１３ａの横移動に必要な空間を設けておく必要がある。
【００２９】
次に、上記上枠４に上部インナーレール１３ａを支持させるための前記第２のリンク機構３０について、図９〜図１２を参照して説明する。
該第２のリンク機構３０においては、上記第１のリンク機構２０の場合と同様に、両側面に凹溝１５ａを持つ上部インナーレール１３ａを用い、また、該上部インナーレールの両側面側を支持する支持アーム３１も、図１１に示すように、一対のレバー３１ａを上枠４への回転自在の連結軸部３１ｂにおいて一体化したところのものを用い、これらは実質的に第１のリンク機構２０の場合と同じ構造のものを用いている。
【００３０】
しかしながら、この第２のリンク機構３０においては、上枠４に回転自在の複数の支持アーム３１の下端を上部インナーレール１３ａに対して直接的に回転自在に連結することなく、該上部インナーレール１３ａの両側面に沿って設けた凹溝１５ａに対し、支持アーム３１の一対のレバー３１ａの下端部から突出する係合軸部３２の先端を、該凹溝の長手方向に摺動自在に係合させ、しかも、少なくとも上部インナーレール１３ａの長手方向の両端部を含む複数箇所に位置させた一定長の支持アーム３１を、上記係合軸部３２において単一の連結杆３３で連結することにより、該第２のリンク機構３０を構成している。
【００３１】
また、上記第１のリンク機構２０と同様に、上記ネット６の展張位置にある可動框９の上方に位置するところの支持アーム３１の下端に操作部３１ｃを付設し、該操作部に対向してそれを受け枠３側に押圧する押圧部９ａを上記可動框９の上部に形成している。
なお、この第２のリンク機構３０の場合にも、第１のリンク機構２０の場合と同様にして、可動框９における押圧部９ａの上面の高さを調整することにより、展張状態にあるネット６のたるみを適正な状況に調整することができる。
【００３２】
このような構成を有する第２のリンク機構３０は、可動框９が受け枠３に当接してネット６が完全な展張状態に達したときに、該可動框の上部の押圧部９ａが支持アーム３１の下端の操作部３１ｃを押圧して、図１０の矢印Ｂ方向に上部インナーレール１３ａを上動させる。これは、上部インナーレール１３ａが上枠４に回転自在に連結している支持アーム３１に対して直接的に連結されることなく、支持アーム３１との連結部が摺動自在であるため、上部インナーレールが水平を維持した状態で横移動することなく上動することになり、そのため、上部インナーレール１３ａは、上枠４の長手方向におけるネットの展張可能な範囲にわたって設け、ネット６の全長を安定的に支持させることができる。
【００３３】
また、前述したように、上記横引きロール網戸におけるネット６の下端は、網戸枠１の下枠５に固定的又は昇降可能なガイド（例えば、下部インナーレール１３ｂ）によりその横引きがガイドされ、可動框９がその移動操作でネット６の展張位置に達して、上枠４内の上部インナーレール１３ａを上動させたときには、該ガイドによりネットの下端が上下方向のたるみを無くす位置に保持されることになる。
しかしながら、上記ネット６をより安定的にたるみがない状態で展張しようとする場合には、図１３〜図１５に示す第２実施例の横引きロール網戸のように、網戸枠１の下枠５内に設けた下部インナーレール１３ｂも、上記第１又は第２のリンク機構２０，３０等と同等のものを上下反転した状態で用い、上部インナーレール１３ａ及び下部インナーレール１３ｂを共に上枠４及び下枠５に該リンク機構を介して保持させることが必要になる。
【００３４】
そのような構成を備えた図１３〜図１５に示す第２実施例は、上述のように、上記第１実施例と同様な上部インナーレール１３ａ及びそれを支持する第１のリンク機構２０を備えると同時に、網戸枠１の下枠５に、上記上枠４に設けた上部インナーレール１３ａ及び第１のリンク機構２０のそれぞれと上下対称形態の第１のリンク機構２０を配設したものであるから、ここでは説明の重複を避け、図１３及び図１４における下枠５内に設けた第１のリンク機構２０の構成要素に、同図の上枠４を支持する第１のリンク機構２０の各部に付した符号と同一の符号を付し、それらの説明を省略する。
【００３５】
このように、可動框９の操作でネット６の開閉を行う段階で上部インナーレール１３ａ及び下部インナーレール１３ｂを共にネット６がたるむ方向に移動させて、ネット６にたるみを持たせることは、ネットの操作を容易にするために非常に望ましいことであるが、一般的にネットの展張時にはそのたるみを無くすことが求められ、そのため、ネットの展張時にたるみを取るための特別の操作を可能にする必要があるが、上記横引きロール網戸では、ネットの張設の最終段階で自動的にたるみを無くすことができるので、特別の操作を行うことなく展張時のネットを緊張状態に保つことが可能になる。
【００３６】
また、一般的に上述した横引きロール網戸においては、巻取りボックスを網戸枠の左右いずれの側にも配設可能にして、ネットの吊り元を網戸枠の左右いずれの側にも設定可能にすると同時に、その変更をも行うことを可能にすることが求められる。上記図１３〜図１５に示す本発明の第２実施例の横引きロール網戸は、上述したネットの開閉の操作性の改善と、ネット展張時のたるみ防止の問題をも解決するものであるが、それだけでなく、上記ネット６の吊り元を網戸枠１の左右いずれの側にも設定可能にしたものであり、それと同時に、吊り元の変更をも可能に構成したものである。
【００３７】
それを具体的に説明すると、上記第２実施例の横引きロール網戸においては、網戸枠１における巻取りボックス２、それに対向する受け枠３、並びに上枠４及び下枠５を上下対称とするだけでなく、該上枠４及び下枠５内に配設する上部インナーレール１３ａ及び下部インナーレール１３ｂを互いに対称形状となるように配設し、また、該上部インナーレール及び下部インナーレールを上枠４及び下枠５内に保持させる第１又は第２のリンク機構２０，３０等も上下対称に配設される。
そして、このような構成を備えれば、ネット６の張設面の向きを変えることなく上下反転して設置することにより、巻取りボックス２を網戸枠１の左右のいずれの側にも配設することができ、つまり、吊り元を左右いずれの側にも設定できるだけでなく、設置後の吊り元の変更も行うことが可能になる。
【００３８】
図１６は、本発明に係る横引きロール網戸を両引きの網戸に適用した第３実施例を示すもので、基本的には、両引きのロール網戸における一方の片引きの網戸が、他方の片引きの網戸における可動框９を受け枠として開閉されるものであって、それぞれの片引きの網戸は、受け枠が固定的でない点を除いて第１実施例のものと実質的に相違するところがないので、第１実施例と構成及び作用的に共通するところについては、前記第１実施例の説明を援用して、説明の重複を避けることにする。
【００３９】
上記第３実施例の網戸が第１実施例の網戸と大きく相違するのは、網戸枠１の左右の側枠が共に巻取りボックス２によって構成され、それらの巻取りボックスがその内部構成を含めて左右対称に形成されている点にあり、それに伴って、回転自在の巻取軸から可動框９の横引きにより導出して網戸枠１内の左右に張設される両側のネット６，６も、第１実施例の場合と同様であり、また、図１６においては図示を省略しているが、両側のネット６，６は、それらの上端に沿って、図２と同様に係合子１２ａが取り付けられ、該係合子を、網戸枠１の上枠４内における各ネットの展張領域に配設した各上部インナーレール１３ａに係合させることにより、上枠４に沿って上記ネットを横引きで開閉可能に形成している。
【００４０】
また、上記各上部インナーレール１３ａは、図１６では、網戸枠１の上枠４における各ネット６，６の展張領域において、図９〜図１２を参照して先に説明しているように、上部インナーレールを支持する複数の支持アーム３１を備えた第２のリンク機構３０を介して、水平を維持した状態で、且つ該上部インナーレールのネット展張方向への押圧によって上動させ得るものとして支持させている。そして、上記両可動框９，９の上部には、両可動框がそれらの召し合わせ位置まで移動したときに、上記リンク機構の一部に形成した操作部３１ｃを上記召し合わせ位置側に押圧して、上記ネットのたるみを無くすように上部インナーレールを上動させる押圧部９ａを備えている。
【００４１】
なお、上記第３実施例では、上部インナーレールの支持を前記第２のリンク機構３０によって行うようにしているが、それに代えて、図５〜図８を参照して先に説明した第１のリンク機構２０を採用できるのは勿論である。また、図１６では、上記ネット６，６の下端の保持について図示していないが、それぞれのネットを第１実施例について説明したところと同様にガイドすることができる。
【符号の説明】
【００４２】
１      網戸枠
２      巻取りボックス
４      上枠
５      下枠
６      ネット
７      巻取軸
９      可動框
９ａ    押圧部
１２ａ    係合子
１３ａ    上部インナーレール
２１      支持アーム
２１ｃ    操作部
【図１】
2019094717.tif 000003
【図２】
2019094717.tif 000004
【図３】
2019094717.tif 000005
【図４】
2019094717.tif 000006
【図５】
2019094717.tif 000007
【図６】
2019094717.tif 000008
【図７】
2019094717.tif 000009
【図８】
2019094717.tif 000010
【図９】
2019094717.tif 000011
【図１０】
2019094717.tif 000012
【図１１】
2019094717.tif 000013
【図１２】
2019094717.tif 000014
【図１３】
2019094717.tif 000015
【図１４】
2019094717.tif 000016
【図１５】
2019094717.tif 000017
【図１６】
2019094717.tif 000018